(57)【要約】  シャワーカーテンホルダは、湾曲した形状の本体と、本体の上部でシャワーカーテンロッドを係止するフックとを備えている。シャワーカーテンホルダをシャワーカーテンロッドおよびシャワーカーテンの内側に配置する。シャワーカーテンホルダは、シャワーを浴びている人の体からシャワーカーテンが離れた状態になる大きさおよび形状に形成されている。シャワーカーテンホルダの上部または上部近傍にカウンタウエイトを設ける。シャワーカーテンホルダは、シャワーを浴びる人の体からシャワーカーテンを離した状態に維持する。
2008517661.tif 000002
【特許請求の範囲】
【請求項１】
シャワーを浴びている人の体からシャワーカーテンを離した状態にするシャワーカーテンホルダであって、
湾曲した形状の本体と、
この本体の上部でシャワーカーテンロッドを係止するフックと、
このフックを前記シャワーカーテンロッドに係止した状態で、前記本体で係止したシャワーカーテンをシャワー内の人の体から離れた位置に維持させるカウンタウエイトと
を備えていることを特徴とする。
【請求項２】
前記本体は、細長いワイヤ状である
ことを特徴とする請求項１記載のシャワーカーテンホルダ。
【請求項３】
前記ホルダは、パドル状である
ことを特徴とする請求項１記載のシャワーカーテンホルダ。
【請求項４】
前記カウンタウエイトは、前記ホルダの上部近傍で前記ホルダに装着されている
ことを特徴とする請求項１記載のシャワーカーテンホルダ。
【請求項５】
前記カウンタウエイトは、浴用道具を保持する置き場状に形成されている
ことを特徴とする請求項４記載のシャワーカーテンホルダ。
【請求項６】
前記本体と一体化されたシャワーカーテンを備えている
ことを特徴とする請求項１記載のシャワーカーテンホルダ。
【請求項７】
前記フックは、単独で前記シャワーカーテンを前記シャワーカーテンロッドに支持させる
ことを特徴とする請求項６記載のシャワーカーテンホルダ。
【発明の詳細な説明】
【技術分野】
【０００１】
本発明は、シャワーを浴びている人の体からシャワーカーテンを離れた状態に維持するホルダに関する。
【背景技術】
【０００２】
一般に、浴槽でシャワーを浴びるときには、シャワーカーテンを使用して浴槽内に水が流れ込むようにする。通常、シャワーカーテンは、シャワーヘッドの上に配置されたカーテンロッドから垂れ下がっている。シャワーカーテンは、シャワーを浴びているときの水や空気の流れによって、内側に膨らみやすく、シャワーを浴びている人の体にぴったりとくっ付くことがあるから、多くの人は不快を感じてしまう。
【発明の開示】
【発明が解決しようとする課題】
【０００３】
本発明は、シャワーを浴びている人の体からシャワーカーテンを離れた状態に維持するホルダを提供する。また、本発明は、石鹸置き、ボトルホルダ、スポンジ用フックなどの付属品を収納する場所を提供する。
【課題を解決するための手段】
【０００４】
シャワーカーテンホルダは、湾曲した形状の本体と、この本体の上部でシャワーカーテンロッドを係止するフックとで形成されている。このシャワーカーテンホルダは、シャワーカーテンロッドおよびシャワーカーテンの内側に配置されている。このシャワーカーテンホルダは、シャワーを浴びている人の体からシャワーカーテンが離れた状態になるような大きさおよび形状に形成されている。シャワーカーテンホルダの上部または上部近傍には、カウンタウエイトが設けられており、このシャワーカーテンホルダは、シャワーを浴びる人の体からシャワーカーテンを離れた状態に維持させるのに役立つ。
【発明を実施するための最良の形態】
【０００５】
本発明の好ましい実施の形態を添付図面を参照して説明する。
【０００６】
図１および図２に示すように、本発明の好ましい実施の形態のシャワーカーテンホルダは、側面視凸状のループ10を備えている。このループ10は、金属またはプラスチックなどの適切な材料で形成されている。シャワーカーテンホルダは、一対の離間したフック12，14を備えており、ループ10をシャワーカーテンの上部に係止させる。カウンタウエイト15は、フック12，14の間でシャワーカーテンホルダに固定されている。
【０００７】
一般的なシャワーカーテンの配置を、図２の想像線で示す。シャワーカーテンが掛けられるシャワーカーテンロッドを16で、シャワーカーテンを18で示す。従来は、複数のフック20によって、シャワーカーテン18がシャワーカーテンロッド16に留められている。
【０００８】
また、図２に示すように、シャワーカーテンホルダのフック12，14は、シャワーカーテンロッド16に係止されている。シャワーカーテンホルダは、シャワーを使用しているときに、人の体に向けて、すなわち内側に向けてシャワーカーテンが膨らむことを防止する効果を有している。カウンタウエイト15は、ループ10とともに、シャワーカーテンホルダを所望の位置に保持させて、シャワーを使用している人の体からシャワーカーテン18を離した状態にする役割を有している。
【０００９】
同じ原理を用いた本発明の他の実施の形態を図３に示す。この場合のシャワーカーテンホルダ24は、湾曲したパドル状で、１つの一体型の部品で形成されている。また、このシャワーカーテンホルダ24は、プラスチック製が望ましい。さらに、このシャワーカーテンホルダ24は、図２と同様に、側面視凸状に形成されており、フック28が端部に設けられた肉厚上部26を有している。この肉厚上部26は、シャワーカーテンホルダ24のうちのカウンタウエイトとして機能する部分であって、シャワーを浴びている人の体からシャワーカーテン18を離す部分を保持する。
【００１０】
このカウンタウエイト15の代わりに機能的な付属品を使用して、カウンタウエイトまたは付加的なカウンタウエイトとすることもできる。図４ないし図６には、３つの異なる付属品が示されている。図４は、カウンタウエイトが防水ラジオになっており、図５は、カウンタウエイト15が石鹸置き場になっている。図６は、カウンタウエイト15にタオル、浴用タオルまたは衣服を掛けることができる２つのフックが設けられている。これらカウンタウエイト15は、ある程度の質量を有する空のトレイでもよいが、例えば水を収容できるような使用者が利用するどのようなカウンタウエイト15であっても良い。
【００１１】
カウンタウエイト15は、シャワーカーテンと同時にシャワーカーテンホルダの湾曲部を、シャワーを浴びている人の体から離した状態に維持させる重要な機能を有している。このカウンタウエイトの質量は、広範囲に亘って変更できる。例えば、このカウンタウエイトは、０．５ポンド以上１０ポンド以下にできる。このカウンタウエイトは、様々な形にできる。そして、このカウンタウエイトをトレイとする場合は、このトレイに置かれる物質、すなわちシャンプや石鹸などもまた、カウンタウエイトの一部として作用する。さらに、このカウンタウエイトは、シャワーカーテンホルダの上部近傍であって、使用者に対向する側のシャワーカーテンホルダの表面に配置する必要がある。
【００１２】
シャワーカーテンホルダ24は、幅寸法が約１８インチで、長さ寸法が約３６インチに形成されているが、これら幅寸法および長さ寸法は、明らかに本発明の一部ではない。さらに、シャワーカーテンホルダ24は、包装および収納のために、キットの形で別個の部品として販売し、購入後に使用者が組み立てるようにもできる。また、シャワーカーテンホルダの湾曲部を構成するロッド部は、収納および取り外しができるように構成されている。このロッド部もまた、使用者の好みやシャワーのサイズに合わせて長さを変更することもできる。
【００１３】
他の実施の形態で、シャワーカーテンホルダは、シャワーカーテン18の内部に形成したり、シャワーカーテン18と一体に形成したりできる。ループ10は、シャワーカーテン18に縫い付けたり、２層のシャワーカーテン18の間に埋め込んだりできる。フック12，14，28は、シャワーカーテン18をシャワーカーテンロッド16に固定するために使用できるため、新たなシャワーカーテンの留め具が不要である。カウンタウエイト15および肉厚上部26は、シャワーカーテン18の布地から露出させたり埋め込んだりできる。複数のループ10またはシャワーカーテンホルダ24を利用して、シャワーカーテンロッド16に間隔を空けてシャワーカーテンを留めることもできる。
【００１４】
本発明の基本的な新規の特徴を好ましい実施の形態に用いて図示および記載したが、本発明の要旨は、当業者にとって逸脱しない範囲で、図示した装置の形状、詳細および操作中の種々の省略、交換または変更などしてもよいことは明らかである。例えば、同一の結果を実現するために、実質的に同一の方法で実質的に同一の機能を有する構成要素や工程の組み合わせは、全て本発明の範囲内であることも明らかである。構成要素は、記載した実施の形態から他の実施の形態に置き換えることができることも明らかである。また、図面は、必ずしも一定の比率で描かれているとは限らず、単に概念的なものであることは明らかである。したがって、本発明は、添付の特許請求の範囲に記載されている事項のみに限定されることが明らかである。
【図面の簡単な説明】
【００１５】
【図１】本発明のシャワーカーテンホルダの好ましい実施の形態を示す正面図である。
【図２】シャワーホルダを示す側面図である。
【図３】本発明の他の実施の形態を示す斜視図である。
【図４】図１および図２のシャワーカーテンホルダに取り付けられるカウンタウエイトの付属品を示す斜視図である。
【図５】図１および図２のシャワーカーテンホルダに取り付けられるカウンタウエイトの付属品を示す斜視図である。
【図６】図１および図２のシャワーカーテンホルダに取り付けられるカウンタウエイトの付属品を示す斜視図である。
【図１】
2008517661.tif 000003
【図２】
2008517661.tif 000004
【図３】
2008517661.tif 000005
【図４】
2008517661.tif 000006
【図５】
2008517661.tif 000007
【図６】
2008517661.tif 000008
【国際調査報告】
2008517661.tif 000009